(57)【要約】【課題】規定レベル以上の電磁界強度を簡単に検出することができる電磁界強度検出装置及び電磁界強度検出システムを得ることを目的とする。【解決手段】複数の無指向性アンテナ１ａ，１ｂ，１ｃを用いて、電磁界の発生源から放射された電波を受信する電波受信回路１と、複数の無指向性アンテナ１ａ，１ｂ，１ｃにより受信された電波を合成する電波合成回路２と、電波合成回路２により合成された電波の強度を検波する強度検波回路６とを設け、ランプ点灯回路７が強度検波回路６により検波された電波の強度が規定レベルより高ければ、ＬＥＤランプ９を点灯する。【選択図】図１
2009145304.tif 000002
【特許請求の範囲】
【請求項１】
複数の無指向性アンテナを用いて、電磁界の発生源から放射された電波を受信する電波受信手段と、上記電波受信手段を構成している複数の無指向性アンテナにより受信された電波を合成する電波合成手段と、上記電波合成手段により合成された電波の強度を検波する強度検波手段と、上記強度検波手段により検波された電波の強度が基準強度より高ければ、ランプを点灯するランプ点灯手段とを備えた電磁界強度検出装置。
【請求項２】
複数の無指向性アンテナを用いて、電磁界の発生源から放射された電波を受信する電波受信手段と、上記電波受信手段を構成している複数の無指向性アンテナにより受信された電波を合成する電波合成手段と、上記電波合成手段により合成された電波の強度を検波する強度検波手段と、上記強度検波手段により検波された電波の強度が第１の基準強度より高ければ、第１のランプを点灯し、上記電波の強度が第１の基準強度より大きい第２の基準強度より高ければ、第１のランプと第２のランプを点灯するランプ点灯手段とを備えた電磁界強度検出装置。
【請求項３】
電波受信手段を構成している複数の無指向性アンテナがモノポールアンテナであり、複数のモノポールアンテナの向きが互いに９０度異なるように配置されていることを特徴とする請求項１または請求項２記載の電磁界強度検出装置。
【請求項４】
電波受信手段を構成している複数の無指向性アンテナが折返しダイポールアンテナであり、複数の折返しダイポールアンテナの向きが互いに９０度異なるように配置されていることを特徴とする請求項１または請求項２記載の電磁界強度検出装置。
【請求項５】
電波受信手段を構成している複数の無指向性アンテナがダイポールアンテナであり、複数のダイポールアンテナの向きが互いに９０度異なるように配置されていることを特徴とする請求項１または請求項２記載の電磁界強度検出装置。
【請求項６】
床面より高さ０．８メートル上の１．５メートル角の領域内に０．５メートル間隔で区切られた１６地点に１６個の電磁界強度検出装置が設置される電磁界強度検出システムにおいて、上記電磁界強度検出装置が、複数の無指向性アンテナを用いて、電磁界の発生源から放射された電波を受信する電波受信手段と、上記電波受信手段を構成している複数の無指向性アンテナにより受信された電波を合成する電波合成手段と、上記電波合成手段により合成された電波の強度を検波する強度検波手段と、上記強度検波手段により検波された電波の強度が基準強度より高ければ、ランプを点灯するランプ点灯手段とから構成されていることを特徴とする電磁界強度検出システム。
【請求項７】
床面より高さ０．８メートル上の１．５メートル角の領域内に０．５メートル間隔で区切られた１６地点に１６個の電磁界強度検出装置が設置される電磁界強度検出システムにおいて、上記電磁界強度検出装置が、複数の無指向性アンテナを用いて、電磁界の発生源から放射された電波を受信する電波受信手段と、上記電波受信手段を構成している複数の無指向性アンテナにより受信された電波を合成する電波合成手段と、上記電波合成手段により合成された電波の強度を検波する強度検波手段と、上記強度検波手段により検波された電波の強度が第１の基準強度より高ければ、第１のランプを点灯し、上記電波の強度が第１の基準強度より大きい第２の基準強度より高ければ、第１のランプと第２のランプを点灯するランプ点灯手段とから構成されていることを特徴とする電磁界強度検出システム。
【請求項８】
横方向が１．０メートルで縦方向が０．５メートル角の領域内に０．２５メートル間隔で区切られた１５地点に１５個の電磁界強度検出装置が設置される電磁界強度検出システムにおいて、上記電磁界強度検出装置が、複数の無指向性アンテナを用いて、電磁界の発生源から放射された電波を受信する電波受信手段と、上記電波受信手段を構成している複数の無指向性アンテナにより受信された電波を合成する電波合成手段と、上記電波合成手段により合成された電波の強度を検波する強度検波手段と、上記強度検波手段により検波された電波の強度が基準強度より高ければ、ランプを点灯するランプ点灯手段とから構成されていることを特徴とする電磁界強度検出システム。
【請求項９】
横方向が１．０メートルで縦方向が０．５メートル角の領域内に０．２５メートル間隔で区切られた１５地点に１５個の電磁界強度検出装置が設置される電磁界強度検出システムにおいて、上記電磁界強度検出装置が、複数の無指向性アンテナを用いて、電磁界の発生源から放射された電波を受信する電波受信手段と、上記電波受信手段を構成している複数の無指向性アンテナにより受信された電波を合成する電波合成手段と、上記電波合成手段により合成された電波の強度を検波する強度検波手段と、上記強度検波手段により検波された電波の強度が第１の基準強度より高ければ、第１のランプを点灯し、上記電波の強度が第１の基準強度より大きい高い第２の基準強度より高ければ、第１のランプと第２のランプを点灯するランプ点灯手段とから構成されていることを特徴とする電磁界強度検出システム。
【発明の詳細な説明】
【技術分野】
【０００１】
この発明は、電磁界強度を検出する電磁界強度検出装置及び電磁界強度検出システムに関するものである。
【背景技術】
【０００２】
従来の電磁界強度検出装置として、携帯型電磁界センサが開発されている（例えば、特許文献１を参照）。
この携帯型電磁界センサを用いれば、簡易的に短時間でノイズ源の特定や、周波数帯域や相対強度の把握が可能になるが、規定レベル以上の電磁界強度を簡単に検出するものではない。
【０００３】
【特許文献１】特開２００５−３４７９号公報（図１）
【発明の開示】
【発明が解決しようとする課題】
【０００４】
従来の電磁界強度検出装置は以上のように構成されているので、簡易的に短時間でノイズ源を特定することができるが、規定レベル以上の電磁界強度を簡単に検出することができないなどの課題があった。
【０００５】
この発明は上記のような課題を解決するためになされたもので、規定レベル以上の電磁界強度を簡単に検出することができる電磁界強度検出装置及び電磁界強度検出システムを得ることを目的とする。
【課題を解決するための手段】
【０００６】
この発明に係る電磁界強度検出装置は、複数の無指向性アンテナを用いて、電磁界の発生源から放射された電波を受信する電波受信手段と、複数の無指向性アンテナにより受信された電波を合成する電波合成手段と、電波合成手段により合成された電波の強度を検波する強度検波手段とを設け、ランプ点灯手段が強度検波手段により検波された電波の強度が基準強度より高ければ、ランプを点灯するようにしたものである。
【発明の効果】
【０００７】
この発明によれば、複数の無指向性アンテナを用いて、電磁界の発生源から放射された電波を受信する電波受信手段と、複数の無指向性アンテナにより受信された電波を合成する電波合成手段と、電波合成手段により合成された電波の強度を検波する強度検波手段とを設け、ランプ点灯手段が強度検波手段により検波された電波の強度が基準強度より高ければ、ランプを点灯するように構成したので、規定レベル以上の電磁界強度を簡単に検出することができる効果がある。
【発明を実施するための最良の形態】
【０００８】
実施の形態１．
図１はこの発明の実施の形態１による電磁界強度検出装置を示す構成図であり、図において、電波受信回路１は複数の無指向性アンテナ１ａ，１ｂ，１ｃを用いて構成されており、複数の無指向性アンテナ１ａ，１ｂ，１ｃが電磁界の発生源から放射された電波を受信すると、その電波の強度に比例する電流値（以下、「検出信号」という）を電波合成回路２に出力する。なお、電波受信回路１は電波受信手段を構成している。
【０００９】
電波合成回路２は電波受信回路１から出力された複数の検出信号を合成し、複数の検出信号の合成信号を強度検波回路６に出力する。なお、電波合成回路２は電波合成手段を構成している。
電波合成回路２の２乗演算回路３ａ，３ｂ，３ｃは電波受信回路１から出力された各検出信号の電流値の２乗値を演算する。
電波合成回路２の加算回路４は２乗演算回路３ａ，３ｂ，３ｃの演算結果の総和を演算する。
電波合成回路２の平方根演算回路５は加算回路４により演算された２乗演算回路３ａ，３ｂ，３ｃの演算結果の総和の平方根を演算し、平方根の演算結果を複数の検出信号の合成信号として強度検波回路６に出力する
【００１０】
強度検波回路６はダイオード６ａを用いて構成されており、ダイオード６ａが電波合成回路２から出力された合成信号を整流して、合成された電波の強度を示す強度検波信号をランプ点灯回路７に出力する。
なお、強度検波回路６は強度検波手段を構成している。
【００１１】
ランプ点灯回路７は強度検波回路６から出力された強度検波信号が示す電波の強度が規定レベル（基準強度）以上であれば、ＬＥＤランプ９を点灯する。なお、ランプ点灯回路７はランプ点灯手段を構成している。
ランプ点灯回路７の可変抵抗８は強度検波回路６から出力された強度検波信号が示す電波の強度が規定レベル以上になると、ＬＥＤランプ９が点灯するように抵抗値が調整されている。
ランプ点灯回路７の平滑用コンデンサ１０は可変抵抗８及びＬＥＤランプ９の直列回路と並列に接続されており、強度検波回路６から出力された強度検波信号を直流信号に変換している。
【００１２】
次に動作について説明する。
電磁界強度検出装置が強電磁界の照射位置に置かれると、電波受信回路１の無指向性アンテナ１ａ，１ｂ，１ｃが電磁界の発生源から放射された電波を受信して、その電波の強度に比例する電流値（検出信号）を電波合成回路２に出力する。
ここで、電波受信回路１が無指向性アンテナ１ａ，１ｂ，１ｃを用いて構成されている理由は、ＲＦアンプで励起された電磁界がアンテナより放射され、電磁界の発生源から電磁界強度検出装置まで届く間に、その電磁界の偏波面が、水平、垂直、あるいは、斜めの偏波になるなどで特定することができないので、あらゆる偏波が捉えられる無指向性のアンテナを用いている。
ただし、電波受信回路１を構成するアンテナは、無指向性アンテナであれば、どのようなアンテナでもよい。
例えば、無指向性アンテナ１ａ，１ｂ，１ｃとして、モノポールアンテナの３軸を組み合わせる場合には、３つのモノポールアンテナの向きが互いに９０度異なるように配置する。
【００１３】
電波合成回路２は、電波受信回路１から複数の検出信号を受けると、複数の検出信号を合成して、複数の検出信号の合成信号を強度検波回路６に出力する。
即ち、電波合成回路２の２乗演算回路３ａ，３ｂ，３ｃは、無指向性アンテナ１ａ，１ｂ，１ｃから個々の検出信号を受けると、個々の検出信号の電流値の２乗値を演算する。
電波合成回路２の加算回路４は、２乗演算回路３ａ，３ｂ，３ｃの演算結果の総和を演算する。
電波合成回路２の平方根演算回路５は、加算回路４から２乗演算回路３ａ，３ｂ，３ｃの演算結果の総和を受けると、その総和の平方根を演算し、平方根の演算結果を複数の検出信号の合成信号として強度検波回路６に出力する。
【００１４】
強度検波回路６は、電波合成回路２から合成信号を受けると、ダイオード６ａがその合成信号を整流して、合成された電波の強度を示す強度検波信号をランプ点灯回路７に出力する。
ランプ点灯回路７は、強度検波回路６から出力された強度検波信号が示す電波の強度が規定レベル（基準強度）以上であれば、ＬＥＤランプ９を点灯する。
即ち、ランプ点灯回路７の可変抵抗８が、強度検波回路６から出力された強度検波信号が示す電波の強度が規定レベル以上になると、ＬＥＤランプ９が点灯するように抵抗値が調整されており、電磁界の強度が強ければ強いほど、強度検波回路６から出力される強度検波信号（平滑用コンデンサ１０により変換される直流信号）が大きくなるので、強度検波回路６から出力された強度検波信号が示す電波の強度が規定レベル（基準強度）以上になると、ＬＥＤランプ９が点灯する。
これにより、ＬＥＤランプ９の点灯を確認すれば、電磁界の強度が規定レベルに達していることがわかる。
【００１５】
以上で明らかなように、この実施の形態１によれば、複数の無指向性アンテナ１ａ，１ｂ，１ｃを用いて、電磁界の発生源から放射された電波を受信する電波受信回路１と、複数の無指向性アンテナ１ａ，１ｂ，１ｃにより受信された電波を合成する電波合成回路２と、電波合成回路２により合成された電波の強度を検波する強度検波回路６とを設け、ランプ点灯回路７が強度検波回路６により検波された電波の強度が規定レベルより高ければ、ＬＥＤランプ９を点灯するように構成したので、規定レベル以上の電磁界強度を簡単に検出することができる効果を奏する。
【００１６】
実施の形態２．
図２はこの発明の実施の形態２による電磁界強度検出装置を示す構成図であり、図において、図１と同一符号は同一または相当部分を示すので説明を省略する。
ランプ点灯回路１１は強度検波回路６から出力された強度検波信号が示す電波の強度が第１の規定レベル（第１の基準強度）以上であれば、第１のランプであるＬＥＤランプ１３を点灯し、その強度検波信号が示す電波の強度が第２の規定レベル（第２の基準強度）以上であれば、ＬＥＤランプ１３と第２のランプであるＬＥＤランプ１５を点灯する。なお、ランプ点灯回路１１はランプ点灯手段を構成している。
【００１７】
ランプ点灯回路１１の可変抵抗１２は強度検波回路６から出力された強度検波信号が示す電波の強度が第１の規定レベル以上になると、ＬＥＤランプ１３が点灯するように抵抗値が調整されている。
ランプ点灯回路１１の可変抵抗１４は強度検波回路６から出力された強度検波信号が示す電波の強度が第２の規定レベル（例えば、第２の規定レベルは第１の規定レベルの２倍に設定されている）以上になると、ＬＥＤランプ１５が点灯するように抵抗値が調整されている。
ランプ点灯回路１１の平滑用コンデンサ１６は可変抵抗１２及びＬＥＤランプ１３の直列回路と並列に接続されており、強度検波回路６から出力された強度検波信号を直流信号に変換している。
【００１８】
次に動作について説明する。
ランプ点灯回路１１は、上記実施の形態１と同様にして、強度検波回路６が強度検波信号を出力すると、その強度検波信号が示す電波の強度が第１の規定レベル以上であれば、ＬＥＤランプ１３を点灯し、その強度検波信号が示す電波の強度が第２の規定レベル以上であれば、ＬＥＤランプ１３とＬＥＤランプ１５を点灯する。
【００１９】
即ち、ランプ点灯回路１１の可変抵抗１２が、強度検波回路６から出力された強度検波信号が示す電波の強度が第１の規定レベル以上になると、ＬＥＤランプ１３が点灯するように抵抗値が調整されており、強度検波回路６から出力された強度検波信号が示す電波の強度が第２の規定レベル以上になると、ＬＥＤランプ１５が点灯するように抵抗値が調整されている。
また、電磁界の強度が強ければ強いほど、強度検波回路６から出力される強度検波信号（平滑用コンデンサ１６により変換される直流信号）が大きくなるので、強度検波回路６から出力された強度検波信号が示す電波の強度が第１の規定レベル以上になると、ＬＥＤランプ１３が点灯し、その強度検波信号が示す電波の強度が第２の規定レベル以上になると、ＬＥＤランプ１３，１５の双方が点灯する。
これにより、ＬＥＤランプ１３，１５の点灯を確認すれば、電磁界の強度が第１の規定レベル又は第２の規定レベルに達していることがわかる。
【００２０】
以上で明らかなように、この実施の形態２によれば、複数の無指向性アンテナ１ａ，１ｂ，１ｃを用いて、電磁界の発生源から放射された電波を受信する電波受信回路１と、複数の無指向性アンテナ１ａ，１ｂ，１ｃにより受信された電波を合成する電波合成回路２と、電波合成回路２により合成された電波の強度を検波する強度検波回路６とを設け、ランプ点灯回路１１が強度検波回路６により検波された電波の強度が第１の規定レベル以上であれば、ＬＥＤランプ１３を点灯し、その強度検波信号が示す電波の強度が第２の規定レベル以上であれば、ＬＥＤランプ１３とＬＥＤランプ１５を点灯するように構成したので、規定レベル以上の電磁界強度を簡単に検出することができる効果を奏する。
【００２１】
実施の形態３．
上記実施の形態１，２では、無指向性アンテナ１ａ，１ｂ，１ｃとして、モノポールアンテナを用いるものについて示したが、これに限るものではなく、例えば、図３に示すように、無指向性アンテナ１ａ，１ｂ，１ｃとして、折返しダイポールアンテナを用いてもよい。
また、図４に示すように、無指向性アンテナ１ａ，１ｂ，１ｃとして、ダイポールアンテナを用いるようにしてもよい。
このように、無指向性アンテナ１ａ，１ｂ，１ｃとして、折返しダイポールアンテナ又はダイポールアンテナを用いても、上記実施の形態１，２と同様の効果を奏することができる。
ただし、無指向性アンテナ１ａ，１ｂ，１ｃとして、折返しダイポールアンテナ又はダイポールアンテナを用いる場合も、３つのアンテナの向きが互いに９０度異なるように配置する。
【００２２】
実施の形態４．
図５はこの発明の実施の形態４による電磁界強度検出システムにおける電磁界強度検出装置の設置位置を示す説明図である。
図５の例では、床面１７より高さ０．８メートル上の１．５メートル角の領域内に０．５メートル間隔で区切られた１６地点（●の地点）に１６個の電磁界強度検出装置（上記実施の形態１〜３におけるいずれかの電磁界強度検出装置）が設置されている。
【００２３】
１６個の電磁界強度検出装置が１６地点に設置されると、当該地点において、電磁界の強度が規定レベルを超えると、１つのＬＥＤランプ９（ＬＥＤランプ１３）、または、２つのＬＥＤランプ１３，１５が点灯する。
一方、当該地点において、電磁界の強度が規定レベルを超えなければ、ＬＥＤランプ９（または、ＬＥＤランプ１３，１５）は点灯しない。
したがって、１６個の電磁界強度検出装置におけるＬＥＤランプ９（または、ＬＥＤランプ１３，１５）の点灯状態を確認すれば、規定レベルを超えている地点がわかるので、電磁界の分布を確認することができる。
【００２４】
実施の形態５．
図６はこの発明の実施の形態５による電磁界強度検出システムにおける電磁界強度検出装置の設置位置を示す説明図である。
図６の例では、横方向が１．０メートルで縦方向が０．５メートル角の領域内（床面の高さは任意）に０．２５メートル間隔で区切られた１５地点（●の地点）に１５個の電磁界強度検出装置（上記実施の形態１〜３におけるいずれかの電磁界強度検出装置）が設置されている。
【００２５】
１５個の電磁界強度検出装置が１５地点に設置されると、当該地点において、電磁界の強度が規定レベルを超えると、１つのＬＥＤランプ９（ＬＥＤランプ１３）、または、２つのＬＥＤランプ１３，１５が点灯する。
一方、当該地点において、電磁界の強度が規定レベルを超えなければ、ＬＥＤランプ９（または、ＬＥＤランプ１３，１５）は点灯しない。
したがって、１５個の電磁界強度検出装置におけるＬＥＤランプ９（または、ＬＥＤランプ１３，１５）の点灯状態を確認すれば、規定レベルを超えている地点がわかるので、電磁界の分布を確認することができる。
【図面の簡単な説明】
【００２６】
【図１】この発明の実施の形態１による電磁界強度検出装置を示す構成図である。
【図２】この発明の実施の形態２による電磁界強度検出装置を示す構成図である。
【図３】この発明の実施の形態３による電磁界強度検出装置を示す構成図である。
【図４】この発明の実施の形態３による電磁界強度検出装置を示す構成図である。
【図５】この発明の実施の形態４による電磁界強度検出システムにおける電磁界強度検出装置の設置位置を示す説明図である。
【図６】この発明の実施の形態５による電磁界強度検出システムにおける電磁界強度検出装置の設置位置を示す説明図である。
【符号の説明】
【００２７】
１  電波受信回路（電波受信手段）、１ａ，１ｂ，１ｃ  無指向性アンテナ、２  電波合成回路（電波合成手段）、３ａ，３ｂ，３ｃ  ２乗演算回路、４  加算回路、５  平方根演算回路、６  強度検波回路、６ａ  ダイオード（強度検波手段）、７  ランプ点灯回路（ランプ点灯手段）、８，１２，１４  可変抵抗、９  ＬＥＤランプ、１０，１６  平滑用コンデンサ、１１  ランプ点灯回路（ランプ点灯手段）、１３  ＬＥＤランプ（第１のランプ）、１５  ＬＥＤランプ（第２のランプ）、１７  床面。
【図１】
2009145304.tif 000003
【図２】
2009145304.tif 000004
【図３】
2009145304.tif 000005
【図４】
2009145304.tif 000006
【図５】
2009145304.tif 000007
【図６】
2009145304.tif 000008